(57)【要約】【課題】 ハンドセット通話ができない状況においても、通報先に対して、緊急事態である旨とハンドセット通話に依存しないで緊急事態の内容または状況を伝達できる電話装置を提供する。【解決手段】 通報先と通話状態になった際、通報メッセージ記憶部７にある固定メッセージを通報先に送出し、その後自動でハンズフリー通話モードに切り替わる。ハンズフリー通話モードに切り替わったら、ＭＩＣ・ＳＰボリューム自動調節部１４にてマイクとスピーカのボリュームを調節する。【選択図】 図２
2009218864.tif 000002
【特許請求の範囲】
【請求項１】
緊急時に自動的に通報先へ発信する電話装置であって、
自電話装置のオンフックまたはオフフックを検出するフック検出手段と、通報先の電話番号を登録する通報先電話番号登録手段と、前記通報先電話番号登録手段に登録された通報先に自動的に発信する自動発信手段と、前記フック検出手段がオフフックを検出してからの経過時間を計測するオフフック経過時間計測手段を有し、
前記フック検出手段が本装置のオフフックを検出した後、予め定められた時間が経過しても、本装置からのダイヤル信号またはオンフックのいずれかをも検出しなかった場合に、前記自動発信手段は前記通報先電話番号登録手段に登録された通報先に自動的に発信し、通報先が応答したならば緊急事態である旨のメッセージを自動的に送信することを特徴とする緊急通報機能を有する電話装置。
【請求項２】
請求項１に記載の電話装置であって、
前記通報先電話番号登録手段は、日時または曜日によって異なる通報先の電話番号を登録する手段をさらに有することを特徴とする緊急通報機能を有する電話装置。
【請求項３】
請求項１または請求項２に記載の電話装置であって、
自電話装置はハンズフリー通話モードを有し、前記緊急事態である旨のメッセージを自動的に送信する際、または送信した後、前記ハンズフリー通話モードを自動的に起動し、前記メッセージを送信した後も、前記ハンズフリー通話モードを継続することを特徴とする緊急通報機能を有する電話装置。
【請求項４】
請求項３に記載の電話装置であって、
自電話装置は音量自動調節手段をさらに有し、前記ハンズフリー通話モードを自動的に起動した場合に、前記ハンズフリー通話モード用のマイク感度およびまたはスピーカ音量を通常の音量よりも自動的に増大することを特徴とする緊急通報機能を有する電話装置。
【発明の詳細な説明】
【技術分野】
【０００１】
本発明は、緊急時に自動で通報することのできる電話装置に関する。
【背景技術】
【０００２】
緊急通報機能を有する電話装置において、電話機のハンドセットが一定時間以上はずれたままの場合に、予め定められた通報先を自動的に呼出す技術がある（例えば、特許文献１）。
しかしながら、特許文献１で開示されている技術では、通報先は何らかの異常状態であることは認識できるが、通話しないと異常の内容が分からない。そのため、ハンドセットをはずしたまま通報者が倒れてハンドセット通話できない状態では、その状況が伝わらないという欠点があった。
【０００３】
【特許文献１】特開昭６１−１１１０５０号公報
【発明の開示】
【発明が解決しようとする課題】
【０００４】
本発明は、上記従来技術の欠点を解決するために、ハンドセット通話ができない状況においても、通報先に対して、緊急事態である旨とハンドセット通話に依存しないで緊急事態の内容または状況を伝達できる電話装置を提供することにある。
【課題を解決するための手段】
【０００５】
本発明の電話装置は、緊急時に自動的に通報先へ発信する電話装置であり、自電話装置のオンフックまたはオフフックを検出するフック検出手段と、通報先の電話番号を登録する通報先電話番号登録手段と、前記通報先電話番号登録手段に登録された通報先に自動的に発信する自動発信手段と、前記フック検出手段がオフフックを検出してからの経過時間を計測するオフフック経過時間計測手段を有し、前記フック検出手段が本装置のオフフックを検出した後、予め定められた時間が経過しても、本装置からのダイヤル信号またはオンフックのいずれかをも検出しなかった場合に、前記自動発信手段は前記通報先電話番号登録手段に登録された通報先に自動的に発信し、通報先が応答したならば緊急事態である旨のメッセージを自動的に送信した後、自己のもつハンズフリー通話モードを自動的に起動し、前記メッセージを送信した後も、前記ハンズフリー通話モードを継続することを特徴とする。
【発明の効果】
【０００６】
本発明によれば、蹴飛ばす等ハンドセットをはずしたままとするだけで、通報先に緊急事態である旨を通報できると共に、自身が身体異常または強盗にあっている等のハンドセットを持つことができない状況でも、ハンズフリー通話モードにより会話またはモニタ音声を通報先に送話できる。
【発明を実施するための最良の形態】
【０００７】
以下に、本発明の実施の形態について、図面を用いて説明する。
【実施例１】
【０００８】
図１は本発明の電話装置を含む機能ブロック図である。図１において、１は電話回線、２はＤＴＭＦ（Dual-Tone Multi-Frequency）送出部、３は通報メッセージ送出部、４はハンズフリー通話部、５はＤＴＭＦ信号生成部、６は通報先電話番号登録部、７は通報メッセージ記憶部、８はスケジュール登録部、９は制御部、１０はオフフック経過時間計測部、１１はフック検出部、１２はキー操作検出部、１３は通報機能（有効／無効）切替部、１４はマイク（ＭＩＣ）とスピーカ（ＳＰ）のボリューム自動調節部、１５はハンドセットを示す。
【０００９】
ＤＴＭＦ信号送出部２は、自電話装置からのＤＴＭＦ信号または通報先電話番号登録部にあるＤＴＭＦ信号を送出する。通報メッセージ送出部３は、通報先と繋がった場合に、通報メッセージ記憶部７にある通報メッセージを送出する。ＤＴＭＦ信号生成部５は電話番号をＤＴＭＦ信号に変換して電話回線１に送出する。
【００１０】
通報先電話番号登録部６は、緊急通報先の電話番号を記憶する。通報メッセージ記憶部７は、通報先に送出するメッセージを予め記憶する。スケジュール登録部８は、曜日、時間帯別の通報先を登録する。
【００１１】
オフフック経過時間計測部１０は、フック検出部１１より自電話装置のオフフックを検出すると、タイマをスタートさせ、オフフック経過時間を計測する。フック検出部１１は、自電話装置のオンフック、オフフックを検出する。
【００１２】
ＭＩＣ・ＳＰボリューム自動調節部１４は、通報先とハンズフリーでの通話状態になったときマイクの入力感度とスピーカの再生音量ボリュームを自動的に通常より増大させる。通報機能（有効／無効）切替部１３は、自電話装置の緊急通報機能を有効もしくは無効にする。
【００１３】
キー操作検出部１２は、自電話装置のキー操作を検出する。制御部９は、本装置の制御を行う。
【００１４】
図２は、本発明の電話装置の動作のフローチャートである。図２において、電源が投入されることで本機能の動作を開始する（Ｓ３０１）。通報機能（有効／無効）切替部１３にて通報機能が無効となっている場合は、通常の電話装置として動作し、有効となっている場合は、フック検出部１１でオフフック操作されるのを待つ（Ｓ３０２、Ｓ３０３）。
フック検出部１１によりオフフック操作が検出されると、オフフック経過時間計測部１０にてオフフックされてからの時間を計測する（Ｓ３０４）。オフフック操作されてから、一定時間内に自電話装置からのキー操作を検出した場合（Ｓ３０５，ＹＥＳ）、通常のオフフック操作と判断して当該キー操作に応じた通常動作に移行して、本フローは終了する。
【００１５】
また、オフフックされてから、一定時間内にフック検出部１１にてオンフックを検出した場合（Ｓ３０６，ＹＥＳ）、通常の発信中断等と判断して、本フローは終了となる。
【００１６】
オフフックされてから、一定時間内に自電話装置よりキー操作、オンフック操作がない場合、タイムアウトとなり（Ｓ３０７，ＹＥＳ）、ステップ３０８、ステップ３０９に移行し、自動的に通報機能が起動する。これにより、自電話装置のボタン操作ができない場合であってもオフフック操作のみで緊急通報することができる。
【００１７】
ステップ３０８、ステップ３０９において、スケジュール登録部８には、曜日、時間に応じた通報先が予め登録されており、制御部９は、通報時の曜日、時間に応じた通報先の電話番号をスケジュール登録部８から検索し、曜日および時間に応じた通報先１〜３のいずれかに自動発信（通報）する（Ｓ３１０、Ｓ３１３、Ｓ３１６）。
【００１８】
自動通報の発信をした後、通報先からの応答がない場合は（Ｓ３１１、Ｓ３１４、Ｓ３１７の各ＮＯ）、例えば３回までリトライする（Ｓ３１２、Ｓ３１５、Ｓ３１８）。それでも応答が無い場合は、例えば、所定の時間が経過してから再度通報のリトライを繰り返す。
【００１９】
通報先からの応答があり、通報先との通話が開始されると（Ｓ３１１、Ｓ３１４、Ｓ３１７）、まず通報メッセージ記憶部７に記憶されている予め登録されたメッセージを通報先に送出する（Ｓ３１９）。
【００２０】
次に、自電話装置をハンズフリー通話モードに切り替える（Ｓ３２０）。さらにハンズフリー通話モードになったあとＭＩＣ・ＳＰボリューム自動調節部１４によりマイクの入力感度とスピーカの再生ボリュームを自動的に調節して（Ｓ３２１）、通常時よりもマイク感度とスピーカの再生ボリュームを増大する。これにより、自身が身体異常である、または強盗にあっている等のハンドセットを持つことのできない状況での緊急通報あっても会話またはモニタ音声を通報先に送話できる。ハンズフリー通話モードとなった後、通報先からの呼切断を検出するか、駆けつけた人などが自電話装置のハンドセットをフックオンした場合に本フローは終了となる（Ｓ３２２）。
【図面の簡単な説明】
【００２１】
【図１】図１は、本発明の電話装置を含む機能ブロック図である。
【図２】図２は、本発明の電話装置の動作のフローチャートである。
【符号の説明】
【００２２】
１    電話回線
２    ＤＴＭＦ送出部
３    通報メッセージ送出部
４    ハンズフリー通話部
５    ＤＴＭＦ信号生成部
６    通報先電話番号登録部
７    通報メッセージ記憶部
８    スケジュール登録部
９    制御部
１０    オフフック経過時間計測部
１１    フック検出部
１２    キー操作検出部
１３    通報機能（有効／無効）切替部
１４    ＭＩＣ・ＳＰボリューム自動調節部
１５    ハンドセット
【図１】
2009218864.tif 000003
【図２】
2009218864.tif 000004